(57)【特許請求の範囲】
【請求項１】
物体側から順に、正パワーの第１レンズ群、負パワーの第２レンズ群、正パワーの第３レンズ群を有し、全体として４つもしくは５つのレンズ群からなり、各レンズ群の間隔を変化させることで変倍を行い、前記第２レンズ群に以下の条件式を満足する正レンズが少なくとも１枚含まれているズームレンズ。
−０．３０＜ｆ2／ｆt＜−０．０３    ・・・（１’’’）
２．００＜ｎｄ2p＜２．３０    ・・・（２）
１３．０＜νｄ2p＜３０．０    ・・・（３）
ただし、
ｆ2は前記第２レンズ群の焦点距離、
ｆtは望遠端における前記ズームレンズ全系の焦点距離、
ｎｄ2pおよびνｄ2pはそれぞれ前記第２レンズ群の正レンズのｄ線に対する屈折率およびアッベ数である。
【請求項２】
前記第２レンズ群は２枚以下の負レンズと１枚の正レンズの、合わせて３枚以下のレンズからなることを特徴とする請求項１に記載のズームレンズ。
【請求項３】
前記第２レンズ群は物体側から順に、第１負レンズ、正レンズ、第２負レンズの３枚からなることを特徴とする請求項２に記載のズームレンズ。
【請求項４】
以下の条件式を満足することを特徴とする請求項３に記載のズームレンズ。
０．２＜ＳＦ2p1＜３．５    ・・・（４）
ただし、ＳＦ2p1＝（Ｒ2pf1＋Ｒ2pr1）／（Ｒ2pf1−Ｒ2pr1）で定義され、
Ｒ2pf1は前記第２レンズ群中の第１負レンズと第２負レンズの間にある正レンズの物体側面の近軸曲率半径、
Ｒ2pr1は前記第２レンズ群中の第１負レンズと第２負レンズの間にある正レンズの像側面の近軸曲率半径、
である。
【請求項５】
前記第２レンズ群は物体側から順に、第１負レンズ、第２負レンズ、正レンズの３枚からなることを特徴とする請求項２に記載のズームレンズ。
【請求項６】
以下の条件式を満足することを特徴とする請求項５に記載のズームレンズ。
−４．５＜ＳＦ2p2＜−０．５    ・・・（５）
ただし、ＳＦ2p2＝（Ｒ2pf2＋Ｒ2pr2）／（Ｒ2pf2−Ｒ2pr2）で定義され、
Ｒ2pf2は前記第２レンズ群中の最も像側にある正レンズの物体側面の近軸曲率半径、
Ｒ2pr2は前記第２レンズ群中の最も像側にある正レンズの像側面の近軸曲率半径、
である。
【請求項７】
物体側から順に正パワーの第１レンズ群、負パワーの第２レンズ群、正パワーの第３レンズ群、正パワーの第４レンズ群の４群構成からなることを特徴とする請求項１乃至６のいずれか一項に記載のズームレンズ。
【請求項８】
明るさ絞りをズームレンズ光学系に有し、広角端から望遠端への変倍時に、前記第１レンズ群は広角端よりも望遠端で物体側にあるように移動し、前記第２レンズ群は移動し、前記第３レンズ群は広角端よりも望遠端で物体側にあるように移動し、前記第４レンズ群は移動し、前記明るさ絞りは移動することを特徴とする請求項７に記載のズームレンズ。
【請求項９】
物体側から順に正パワーの第１レンズ群、負パワーの第２レンズ群、正パワーの第３レンズ群、負パワーの第４レンズ群、正パワーの第５レンズ群の５群構成からなることを特徴とする請求項１乃至６のいずれか一項に記載のズームレンズ。
【請求項１０】
明るさ絞りをズームレンズ光学系に有し、広角端から望遠端への変倍時に、前記第１レンズ群は広角端よりも望遠端で物体側にあるように移動し、前記第２レンズ群は移動し、前記第３レンズ群は広角端よりも望遠端で物体側にあるように移動し、前記第４レンズ群は移動し、前記第５レンズ群は移動し、前記明るさ絞りは移動することを特徴とする請求項９に記載のズームレンズ。
【請求項１１】
以下の条件式を満足することを特徴とする請求項１乃至１０のいずれか一項に記載のズームレンズ。
４．０＜ｆt／ｆw＜２０．０    ・・・（６）
ただし、
ｆwは広角端での前記ズームレンズ全系の焦点距離、
ｆtは望遠端での前記ズームレンズ全系の焦点距離、
である。
【請求項１２】
以下の条件式を満足することを特徴とする請求項１乃至１１のいずれか一項に記載のズームレンズ。
０．５０＜Ｉmw／ｆw＜１．００    ・・・（７）
ただし、
Ｉmwは前記ズームレンズの広角端における最大像高、
ｆwは前記ズームレンズの広角端における焦点距離、
である。
【請求項１３】
請求項１乃至１２のいずれか一項に記載のズームレンズと、前記ズームレンズにより形成した像を電気信号に変換する撮像素子とを有することを特徴とする撮像装置。
【請求項１４】
前記ズームレンズによるディストーションを含んだ電気信号を、画像処理によりディストーションを補正した画像信号に変換する画像変換部を有することを特徴とする請求項１３に記載の撮像装置。
【請求項１５】
物体側から順に、正パワーの第１レンズ群、負パワーの第２レンズ群、正パワーの第３レンズ群、負パワーの第４レンズ群、正パワーの第５レンズ群の５群構成からなり、各レンズ群の間隔を変化させることで変倍を行い、前記第２レンズ群に以下の条件式を満足する正レンズが少なくとも１枚含まれているズームレンズ。
−０．５０＜ｆ2／ｆt＜−０．０３    ・・・（１）
２．００＜ｎｄ2p＜２．３０    ・・・（２）
１３．０＜νｄ2p＜３０．０    ・・・（３）
ただし、
ｆ2は前記第２レンズ群の焦点距離、
ｆtは望遠端における前記ズームレンズ全系の焦点距離、
ｎｄ2pおよびνｄ2pはそれぞれ前記第２レンズ群の正レンズのｄ線に対する屈折率およびアッベ数である。
【発明の詳細な説明】
【技術分野】
【０００１】
本発明は、ズームレンズとそれを用いた撮像装置に関する。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。本発明においては、特にコンパクトな普及タイプのカテゴリーに注目している。
【０００３】
このような普及タイプのデジタルカメラのユーザーは、いつでもどこでも手軽に幅広いシーンで撮影を楽しみたいという要望をもっている。そのため、小型な商品、特に服やカバンのポケット等への収納性がよく持ち運びが便利な、厚み方向のサイズが薄型であるタイプのデジタルカメラが好まれるようになっており、撮影レンズ系にもより一層の小型化が要望されている。一方、撮像素子の画素数が増加の傾向にあるため、撮像素子の高画素化に対応した高い光学性能が求められている。さらには量産性も確保するために、レンズ加工や組み込み工程での製造誤差に対する光学性能劣化の感度を小さく抑えておく必要がある。また撮影領域を広げるという観点から変倍比が５倍や７倍を超える高変倍ズームも一般化してきており、更なる高変倍化も期待されている一方で、広角化への期待もある。こういった要求に応えるべく様々なタイプのズームレンズ系が提案されている。
【０００４】
比較的高変倍比でコンパクトなズームレンズを構成した先行技術としては、物体側より正パワーの第１レンズ群、負パワーの第２レンズ群、正パワーの第３レンズ群、正パワーの第４レンズ群を有するタイプが知られており、以下の文献に開示された技術がある。
【０００５】
【特許文献１】特開２００６−１７１０５５号公報
【特許文献２】特開平１１−５２２４４号公報
【特許文献３】特開平１１−６９５８号公報
【特許文献４】特開平８−２７１７８８号公報
【特許文献５】特開２００５−３２６７４３号公報
【特許文献６】特開２００６−７８９７９号公報
【発明の開示】
【発明が解決しようとする課題】
【０００６】
しかしながら、文献１で提案されているズームレンズはレンズ系の全長が大きいため小型化に向かない。文献２〜４で提案されているズームレンズでは、広角端での画角が６０°程度であり、収差性能も良好でない。文献５、６で提案されているズームレンズでは変倍比が５倍程度と十分でない。いずれのズームレンズ系においても、変倍比、光学性能、レンズ全長等のバランスが良好とは言えない。
【０００７】
本発明はこのような問題点に鑑みてなされたものであり、その目的は、カメラの携帯性を損なうことなく従来よりも撮影領域を広げたいというユーザーの要望を満たすべく、カメラの小型化と高変倍比化・広角化に有利であり、撮影画像の画質も良好に維持し易い、ＣＣＤやＣＭＯＳ等の電子撮像素子に適しているズームレンズ及び装置を提供することである。
【課題を解決するための手段】
【０００８】
上記課題を解決するために、本発明のズームレンズは物体側から順に、正パワーの第１レンズ群、負パワーの第２レンズ群、正パワーの第３レンズ群を有し、全体として４つもしくは５つのレンズ群からなり、各レンズ群の間隔を変化させることで変倍を行い、前記第２レンズ群に以下の条件式を満足する正レンズが少なくとも１枚含まれている構成とした。
−０．３０＜ｆ2／ｆt＜−０．０３    ・・・（１’’’）
２．００＜ｎｄ2p＜２．３０    ・・・（２）
１３．０＜νｄ2p＜３０．０    ・・・（３）
ただし、
ｆ2は前記第２レンズ群の焦点距離、
ｆtは望遠端における前記ズームレンズ全系の焦点距離、
ｎｄ2pおよびνｄ2pはそれぞれ前記第２レンズ群の正レンズのｄ線に対する屈折率およびアッベ数である。
あるいは、ズームレンズを、物体側から順に、正パワーの第１レンズ群、負パワーの第２レンズ群、正パワーの第３レンズ群、負パワーの第４レンズ群、正パワーの第５レンズ群の５群構成からなり、各レンズ群の間隔を変化させることで変倍を行い、前記第２レンズ群に以下の条件式を満足する正レンズが少なくとも１枚含まれている構成とした。
−０．５０＜ｆ2／ｆt＜−０．０３    ・・・（１）
２．００＜ｎｄ2p＜２．３０    ・・・（２）
１３．０＜νｄ2p＜３０．０    ・・・（３）
ただし、
ｆ2は前記第２レンズ群の焦点距離、
ｆtは望遠端における前記ズームレンズ全系の焦点距離、
ｎｄ2pおよびνｄ2pはそれぞれ前記第２レンズ群の正レンズのｄ線に対する屈折率およびアッベ数である。
【０００９】
以下、このような構成をとった理由と作用を説明する。
本発明では、物体側から順に、正パワーの第１レンズ群、負パワーの第２レンズ群、正パワーの第３レンズ群を有し、各群の間隔を変化させることで変倍を行う構成を採用した。このような構成をとることにより、各群に変倍の負担を効率的に分担させることで変倍時の収差変動を小さく抑えつつ、また各群の移動量が大きくなることを防ぎ光学系のコンパクト化につながる。
【００１０】
小型化を行いながら広角化を行おうとすると、第１レンズ群と第２レンズ群のパワーは強くなりやすい。特に第２レンズ群は変倍を主に担うズーム群であるため、全ズーム領域で良好な光学性能を得るためには第２レンズ群の収差を可能な限り除去しておく必要がある。このとき第２レンズ群のパワーを条件式（１）の範囲に設定しておくのがよい。これは小型化と収差性能のバランスに関する条件式である。条件式（１）の上限内にあると、第２レンズ群のパワーが強くなり過ぎないよう、広角端の軸外諸収差や望遠端での球面収差の発生を抑えるのに有利である。条件式（１）の下限内にあることで、第２レンズ群のパワーが弱くなり過ぎず、レンズ全系が大型化を防ぎ、また画角の確保にも有利である。
【００１１】
ここで、上記条件式（１）を、
−０．３０＜ｆ2／ｆt＜−０．０７    ・・・（１’）
とし、この条件式（１’）を満足するようにすると、より好ましくなる。
さらに、上記条件式（１）を、
−０．１６＜ｆ2／ｆt＜−０．１２    ・・・（１”）
とし、この条件式（１”）を満足するようにすると、さらに好ましくなる。
また、条件式（１）の上限値のみ、もしくは下限値のみを式（１’），（１”）の上限値、下限値としても良い。例えば、以下の条件式（１’’’）を満足するようにしても良い。
−０．３０＜ｆ2／ｆt＜−０．０３    ・・・（１’’’）
【００１２】
条件式（２）および（３）は第２レンズ群内の正レンズの硝材に関するものである。
上述のとおり第２レンズ群は比較的大きな負のパワーを持つ。そのため、負レンズにより大きな収差が発生しやすい。このとき、負レンズで発生する収差を打消し効果的に補正しておくためには、第２レンズ群中に正レンズを配置し、この正レンズの硝材を適切に設定しておくことが好ましい。具体的には、条件式（２）を満足するようにするとよい。  条件式（２）の上限内にあることで、硝材の入手が確保され、コストアップを防ぎ、量産し易くなる。また条件式（２）の下限内にあることで、必要なパワーを得るためにレンズが厚くなる事を防ぎ、レンズ系が大型化しないようにする。あるいは、コマ収差や像面湾曲等の広角端での軸外諸収差や望遠端での球面収差を押さえ、良好な光学性能を得ることができる。
【００１３】
条件式（３）は色収差補正に関するものである。条件式（３）の上限内に有ることで、Ｃ線やＦ線に対する色収差補正が効果的に行える。条件式（３）の下限内にあることで、短波長側の部分分散比が抑えられ、２次スペクトルが残存を抑えることができる。
【００１４】
ここで、上記条件式（２）を、
２．０５＜ｎｄ2p＜２．２５    ・・・（２’）
とし、この条件式（２’）を満足するようにすると、より好ましくなる。
さらに、上記条件式（２）を、
２．０８＜ｎｄ2p＜２．１５    ・・・（２”）
とし、この条件式（２”）を満足するようにすると、さらに好ましくなる。
また、条件式（２）の上限値のみ、もしくは下限値のみを式（２’），（２”）の上限値、下限値としても良い。
【００１５】
また、上記条件式（３）を、
１４．０＜νｄ2p＜２５．０    ・・・（３’）
とし、この条件式（３’）を満足するようにすると、より好ましくなる。
さらに、上記条件式（３）を、
１５．０＜νｄ2p＜２０．０    ・・・（３”）
とし、この条件式（３”）を満足するようにすると、さらに好ましくなる。
また、条件式（３）の上限値のみ、もしくは下限値のみを式（３’），（３”）の上限値、下限値としても良い。
【００１６】
更には、上述の発明にて、以下のいずれかの構成を有する事がより好ましい。
第２レンズ群を２枚の負レンズと１枚の正レンズの、合わせて３枚以下で構成することが好ましい。第２レンズ群の負パワーを２枚のレンズに分担させることでそれぞれのレンズの曲率半径が小さくなりすぎるのを防ぎ、過大な収差発生を避けることができる。また３枚以下という少ない枚数で構成することで、ズームレンズ系の小型化を図ることができる。
【００１７】
また、第２レンズ群は物体側から順に第１負レンズ、正レンズ、第２負レンズからなる構成としてもよい。このような配列とすることでレンズ構成の対称性を良くし第２レンズ群内で効率良く収差補正を行えるようになる。
【００１８】
このとき、第２レンズ群内の収差の発生をより小さくするためには、第２レンズ群の正レンズの形状を以下の条件式を満たすようにするとよい。
０．２＜ＳＦ2p1＜３．５０    ・・・（４）
ただし、ＳＦ2p1＝（Ｒ2pf1＋Ｒ2pr1）／（Ｒ2pf1−Ｒ2pr1）で定義され、
Ｒ2pf1は前記第２レンズ群中の第１負レンズと第２負レンズの間にある正レンズの物体側面の近軸曲率半径、
Ｒ2pr1は前記第２レンズ群中の第１負レンズと第２負レンズの間にある正レンズの像側面の近軸曲率半径である。
【００１９】
条件式（４）の上限内にあることで、正レンズ面のパワーが確保され、負レンズで発生した球面収差やコマ収差の補正に有利となる。条件式（４）の下限内にあることで、正レンズ両面の曲率が強くなるのを抑え、正レンズの球面収差やコマ収差の発生が逆に大きくなるのを抑えることができる。条件式（４）の上下限範囲を満たすことにより、光学性能の補正に有利となる。
【００２０】
ここで、上記条件式（４）を、
０．５０＜ＳＦ2p1＜２．５０    ・・・（４’）
とし、この条件式（４’）を満足するようにすると、より好ましくなる。
さらに、上記条件式（４）を、
０．８０＜ＳＦ2p1＜１．４０    ・・・（４”）
とし、この条件式（４”）を満足するようにすると、さらに好ましくなる。
また、条件式（４）の上限値のみ、もしくは下限値のみを式（４’），（４”）の上限値、下限値としても良い。
【００２１】
第２レンズ群は物体側から順に第１負レンズ、第２負レンズ、正レンズからなる構成としてもよい。変倍比を稼ぎ、かつ、パワーを持ちつつ、第２レンズ群の光軸方向の厚さを薄くして変倍のためのスペースを確保することができる。
【００２２】
このとき、第２レンズ群内の収差の発生をより小さくするためには、第２レンズ群の正レンズの形状を以下の条件式を満たすようにするとよい。
−４．５＜ＳＦ2p2＜−０．５    ・・・（５）
ただし、ＳＦ2p2＝（Ｒ2pf2＋Ｒ2pr2）／（Ｒ2pf2−Ｒ2pr2）で定義され、
Ｒ2pf2は前記第２レンズ群中の最も像側にある正レンズの物体側面の近軸曲率半径、
Ｒ2pr2は前記第２レンズ群中の最も像側にある正レンズの像側面の近軸曲率半径である。
【００２３】
条件式（５）の上限内にあることで、正レンズ両面の曲率が強くなるのを押さえ、球面収差やコマ収差の発生が大きくならないようにしている。条件式（５）の下限内にあることで、正レンズ面のパワーを確保し、負レンズで発生した球面収差やコマ収差の補正に有利となる。条件式（５）の上下限範囲を満たすことにより、光学性能の補正に有利となる。
【００２４】
ここで、上記条件式（５）を、
−３．０＜ＳＦ2p2＜−０．７    ・・・（５’）
とし、この条件式（５’）を満足するようにすると、より好ましくなる。
さらに、上記条件式（５）を、
−１．７＜ＳＦ2ｐ2＜−０．９    ・・・（５”）
とし、この条件式（５”）を満足するようにすると、さらに好ましくなる。
また、条件式（５）の上限値のみ、もしくは下限値のみを式（５’），（５”）の上限値、下限値としても良い。
【００２５】
本発明のズームレンズは、物体側から順に正パワーの第１レンズ群、負パワーの第２レンズ群、正パワーの第３レンズ群、正パワーの第４レンズ群の４群構成からなる構成としてもよい。このとき、明るさ絞りをズームレンズ光学系に有し、広角端から望遠端への変倍時に、第１レンズ群は広角端よりも望遠端で物体側にあるように移動し、第２レンズ群は移動し、第３レンズ群は広角端よりも望遠端で物体側にあるように移動し、第４レンズ群は移動し、明るさ絞りは移動するようにするとよい。その際、第１レンズ群は物体側へのみ移動させてもよいし、物体側あるいは像側に凸の軌跡で移動させてもよい。第２レンズ群は物体側へのみ移動させてもよいし、物体側あるいは像側に凸の軌跡で移動させてもよい。第３レンズ群は物体側へのみ移動させてもよいし、物体側に凸の軌跡で移動させてもよい。第４レンズ群は広角端よりも望遠端で物体側にあるように移動させてもよいし、像側にあるように移動させてもよい。単調に移動させてもよいし、物体側あるいは像側に凸の軌跡で移動させてもよい。
【００２６】
また、物体側から順に正パワーの第１レンズ群、負パワーの第２レンズ群、正パワーの第３レンズ群、負パワーの第４レンズ群、正パワーの第５レンズ群の５群構成からなる構成としてもよい。このとき、明るさ絞りをズームレンズ光学系に有し、広角端から望遠端への変倍時に、第１レンズ群は広角端よりも望遠端で物体側にあるように移動し、第２レンズ群は移動し、第３レンズ群は広角端よりも望遠端で物体側にあるように移動し、第４レンズ群は移動し、第５レンズ群は移動し、明るさ絞りは移動するようにするとよい。その際、第１レンズ群は物体側へのみ移動させてもよいし、物体側あるいは像側に凸の軌跡で移動させてもよい。第２レンズ群は物体側へのみ移動させてもよいし、物体側あるいは像側に凸の軌跡で移動させてもよい。第３レンズ群は物体側へのみ移動させてもよいし、物体側に凸の軌跡で移動させてもよい。第４レンズ群は物体側へのみ移動させてもよいし、物体側あるいは像側に凸の軌跡で移動させてもよい。第５レンズ群は広角端よりも望遠端で物体側にあるように移動させてもよいし、像側にあるように移動させてもよい。単調に移動させてもよいし、物体側あるいは像側に凸の軌跡で移動させてもよい。
【００２７】
明るさ絞りは第２レンズ群と第３レンズ群の間に配置し、変倍時に第３レンズ群と一体で移動させると良い。入射瞳を物体側からみて近い位置に位置させることができ、射出瞳を像面から遠ざけることができる。また、軸外光線の高さが低くなる場所であるので明るさ絞りが大型化せずにすみ、明るさ絞りを移動させるときのデッドスペースが小さくてすむ。前記明るさ絞りをシャッターユニットに置き換える構成としても良い。
【００２８】
このようにすべてのレンズ群を移動させることにより、各レンズ群に変倍作用を効果的に与えることが可能になり、広角化・高変倍化しても高性能を達成することができるようになる。また明るさ絞りを移動させることにより、倍率色収差や歪曲収差の効果的補正が可能になって性能面で効果を出せるだけでなく、入射瞳位置、射出瞳位置を適切にコントロールすることが可能となる。
【００２９】
すなわち、広角端における軸外光束の光線高と望遠端の軸外光束の光線高のバランスがとれるようになり、第１レンズ群の外径と最も像面側のレンズ群の外径をバランスよくコンパクトに構成することが可能となる。特に広角端での第１レンズ群の外径を小さくすることはレンズの厚み方向の大きさのコンパクト化にも効果的につながる。また変倍の際の射出瞳位置の変動を小さくするようにコントロールすることもできるようになるため、ＣＣＤやＣＭＯＳ等への光線の入射角を適当な範囲に保ち画面の隅での明るさのかげり（シェーディング）の発生を防ぎやすく、撮像素子を用いる場合に好適となる。
【００３０】
また、本発明のズームレンズは以下の条件式を満足するのが良い。
４．０＜ｆt／ｆw＜２０．０    ・・・（６）
ただし、
ｆwは広角端でのズームレンズ全系の焦点距離、
ｆtは望遠端でのズームレンズ全系の焦点距離である。
【００３１】
条件式（６）の上限内にあることで、本発明の構成で十分な光学性能を確保し易くなる。条件式（６）の下限を超えると、より簡素な構成でも本発明の目的を達成できるため、本構成を採用することによるサイズやコストの面でのメリットが発揮できない。
【００３２】
ここで、上記条件式（６）を、
５．５＜ｆt／ｆw＜１５．０    ・・・（６’）
とし、この条件式（６’）を満足するようにすると、より好ましくなる。
さらに、上記条件式（６）を、
７．０＜ｆt／ｆw＜１２．０    ・・・（６”）
とし、この条件式（６”）を満足するようにすると、さらに好ましくなる。
また、条件式（６）の上限値のみ、もしくは下限値のみを式（６’），（６”）の上限値、下限値としても良い。
【００３３】
また、本発明のズームレンズは以下の条件式を満足するのが良い。
０．５０＜Ｉmw／ｆw＜１．００    ・・・（７）
ただし、
Ｉmwは広角端での最大像高、
ｆwは広角端におけるズームレンズ全系の焦点距離である。
【００３４】
条件式（７）の上限内にあることで、本発明の構成では十分な光学性能を確保し易くなる。下限を超えると、より簡単な構成でも本発明の目的を達成できるため、本構成を採用することによるサイズやコストの面でのメリットが発揮できない。
【００３５】
ここで、上記条件式（７）を、
０．６０＜Ｉmw／ｆw＜０．９５    ・・・（７’）
とし、この条件式（７’）を満足するようにすると、より好ましくなる。
さらに、上記条件式（７）を、
０．７０＜Ｉmw／ｆw＜０．８０    ・・・（７”）
とし、この条件式（７”）を満足するようにすると、さらに好ましくなる。
また、条件式（７）の上限値のみ、もしくは下限値のみを式（７’），（７”）の上限値、下限値としても良い。
【００３６】
第１レンズ群については２枚以下のレンズからなる構成とすると良い。このような少ないレンズ枚数で構成することで、光軸方向および径方向のコンパクト化を行うことができる。
第１レンズ群は負レンズと正レンズを有する構成とするとよい。
第１レンズ群の負レンズと正レンズは接合としても良い。接合レンズとすると、高変倍化による望遠端の長焦点化の際に問題となり易い軸上色収差補正を効果的に行うことができる。また、組み立て誤差によるレンズ相対偏心での光学性能の劣化を抑えることができ、歩留まりの向上やコストダウンに貢献する。
第１レンズ群の負レンズと正レンズは接合されていない、それぞれ独立したレンズ成分からなる構成としても良い。このようにすると、広角端での歪曲収差、コマ収差、および望遠端でのコマ収差をより効果的に補正することが可能となる。
【００３７】
またコンパクト化と光学性能のバランスの観点から、第１レンズ群のパワーを以下の条件式を満足することが好ましい。
０．４０＜ｆ1／ｆt＜１．３０    ・・・（８）
ただし、
ｆ1は前記第１レンズ群の焦点距離、
ｆtは望遠端におけるズームレンズ全系の焦点距離である。
【００３８】
条件式（８）の上限内にあることで、第１レンズ群のパワーが小さくなりすぎるのを抑え、ズームレンズ全系の全長が長くなるのを防ぎ鏡筒の小型化がし易くなる。
条件式（８）の下限内にあることで、パワーが強くなるのを防ぎ、望遠端での球面収差やコマ収差の発生を抑え、良好な光学性能を確保し易くなる。
【００３９】
ここで、上記条件式（８）を、
０．５０＜ｆ1／ｆt＜１．００    ・・・（８’）
とし、この条件式（８’）を満足するようにすると、より好ましくなる。
さらに、上記条件式（８）を、
０．６０＜ｆ1／ｆt＜０．７０    ・・・（８”）
とし、この条件式（８”）を満足するようにすると、さらに好ましくなる。
また、条件式（８）の上限値のみ、もしくは下限値のみを式（８’），（８”）の上限値、下限値としても良い。
【００４０】
第３レンズ群のパワーについては以下の条件式を満足するようにすると良い。
０．１０＜ｆ3／ｆt＜０．７５    ・・・（９）
ただし、ｆ3は前記第３レンズ群の焦点距離、ｆtは望遠端での全系の焦点距離である。
条件式（９）の上限内にあることで、パワーが弱くなるのを抑え、変倍のための移動量を小さくできる。条件式（９）の下限内にあることで、近軸結像倍率が小さくなりすぎないようにして、変倍のための移動量が大きくなることを防ぎ、収差補正を容易にしている。
【００４１】
ここで、上記条件式（９）を、
０．１５＜ｆ3／ｆt＜０．５０    ・・・（９’）
とし、この条件式（９’）を満足するようにすると、より好ましくなる。
さらに、上記条件式（９）を、
０．２０＜ｆ3／ｆt＜０．２５    ・・・（９”）
とし、この条件式（９”）を満足するようにすると、さらに好ましくなる。
また、条件式（９）の上限値のみ、もしくは下限値のみを式（９’），（９”）の上限値、下限値としても良い。
【００４２】
またズームレンズ中の最も像面側には正パワーのレンズ群ＧＲを配置させるとよい。射出瞳位置を適切な位置に配置してＣＣＤやＣＭＯＳ等の電子撮像素子に効率よく光線を入射させることができる。
【００４３】
レンズ群ＧＲのパワーについては以下の条件式を満足するようにすると良い。
０．１０＜ｆR／ｆt＜０．５０    ・・・（１０）
ただし、
ｆＲはズームレンズ全系において最も像側に配置されたレンズ群の焦点距離、
ｆtは望遠端でのズームレンズ全系の焦点距離である。
【００４４】
条件式（１０）の上限内にあることで、レンズ群ＧＲのパワーが弱くなるのを防ぎ、全ズーム領域における非点収差や歪曲収差の補正をし易くしている。条件式（１０）の下限内にあることで、レンズ群ＧＲのパワーが強くなるのを抑え、全領域における非点収差や歪曲収差が補正過剰とならないようにしている。
【００４５】
ここで、上記条件式（１０）を、
０．１５＜ｆR／ｆt＜０．４０    ・・・（１０’）
とし、この条件式（１０’）を満足するようにすると、より好ましくなる。
さらに、上記条件式（１０）を、
０．２０＜ｆR／ｆt＜０．３０    ・・・（１０”）
とし、この条件式（１０”）を満足するようにすると、さらに好ましくなる。
また、条件式（１０）の上限値のみ、もしくは下限値のみを式（１０’），（１０”）の上限値、下限値としても良い。
【００４６】
上述の各発明は、任意に複数を同時に満足することがより好ましい。また、各条件式について、より限定した条件式の数値範囲の上限値あるいは下限値のみを限定しても構わない。また、上述の各構成は、任意に組み合わせて構わない。
【００４７】
また、ズームレンズにより形成された像を電気信号に変換する撮像素子を有することで、小型化と高変倍比化・広角化に有利であり、撮影画像の画質も良好に維持し易い電子撮像素子装置を提供することができる。
ズームレンズによるディストーションを含んだ電気信号を画像処理によりディストーションを補正した画像信号に変換する画像変換部を有することが好ましい。ズームレンズのディストーションを許容することで、ズームレンズのレンズ枚数低減や小型化に一層有利となる。
【発明の効果】
【００４８】
本発明によれば、カメラの携帯性を損なうことなく従来よりも撮影領域を広げたいというユーザーの要望を満たすべく、カメラの小型化と高変倍比化・広角化に有利であり、撮影画像の画質も良好に維持し易い、ＣＣＤやＣＭＯＳ等の電子撮像素子に適しているズームレンズ及び装置を提供できるという効果を奏する。
【発明を実施するための最良の形態】
【００４９】
以下に、本発明に係るズームレンズ、撮像装置の実施例を図面に基づいて詳細に説明する。なお、この実施例によりこの発明が限定されるものではない。
以下、本発明のズームレンズの実施例１〜９について説明する。実施例１〜９の無限遠物点合焦時の広角端（ａ）、第１の中間焦点距離状態（ｂ）、第２の中間焦点距離状態（ｃ）、第３の中間焦点距離状態（ｄ）、望遠端（ｅ）のレンズ断面図をそれぞれ図１〜図９に示す。図１〜図９中、第１レンズ群はＧ１、第２レンズ群はＧ２、明るさ（開口）絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００５０】
数値データはいずれも無限遠の被写体に合焦した状態でのデータである。各数値の長さの単位はｍｍ、角度の単位は°（度）である。フォーカシングはいずれの実施例も最も像側のレンズ群の移動により行う。実施例１〜９の像高ＩＨはいずれも３．８８ｍｍである。さらに、ズームデータは広角端（ＷＥ）、第１、第２、第３の中間ズーム状態（ＳＴ１、ＳＴ２、ＳＴ３）、望遠端（ＴＥ）での値である。
【００５１】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００５２】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００５３】
物体側から順に、第１レンズ群Ｇ１は、物体側に凸面を向けた負メニスカスレンズと両凸正レンズの接合レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００５４】
非球面は、第１レンズ群Ｇ１の両凸正レンズの像側の面と、第２レンズ群Ｇ２の両凹負レンズの両面と、像側の両凹負レンズの像側の面と、第３レンズ群Ｇ３の両凸正レンズの両面と、第４レンズ群Ｇ４の両凸正レンズの両面との８面に用いている。
【００５５】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００５６】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００５７】
物体側から順に、第１レンズ群Ｇ１は、物体側に凸面を向けた負メニスカスレンズと両凸正レンズの接合レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００５８】
非球面は、第１レンズ群Ｇ１の両凸正レンズの像側の面と、第２レンズ群Ｇ２の両凹負レンズの両面と、像側の両凹負レンズの像側の面と、第３レンズ群Ｇ３の両凸正レンズの両面と、第４レンズ群Ｇ４の両凸正レンズの両面との８面に用いている。
【００５９】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００６０】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００６１】
物体側から順に、第１レンズ群Ｇ１は、物体側に凸面を向けた負メニスカスレンズと、両凸正レンズからなる。第２レンズ群Ｇ２は、両凹負レンズと、像側に凸面を向けた正メニスカスレンズと、両凹負レンズからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００６２】
非球面は、第１レンズ群Ｇ１の両凸正レンズの像側の面と、第２レンズ群Ｇ２の両凹負レンズの両面と、像側の両凹負レンズの像側の面と、第３レンズ群Ｇ３の両凸正レンズの両面と、第４レンズ群Ｇ４の両凸正レンズの両面との８面に用いている。
【００６３】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００６４】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００６５】
物体側から順に、第１レンズ群Ｇ１は、物体側に凸面を向けた負メニスカスレンズと両凸正レンズの接合レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、物体側に凸面を向けた負メニスカスレンズと物体側に凸面を向けた負メニスカスレンズの接合レンズからなる。第４レンズ群Ｇ４は、両凸正レンズからなる。
【００６６】
非球面は、第１レンズ群Ｇ１の両凸正レンズの像側の面と、第２レンズ群Ｇ２の最も物体側の両凹負レンズの両面と最も像側の両凹負レンズの像側の面と、第３レンズ群Ｇ３の両凸正レンズの両面と、第４レンズ群Ｇ４の両凸正レンズの両面との８面に用いている。
【００６７】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００６８】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００６９】
物体側から順に、第１レンズ群Ｇ１は、物体側に凸面を向けた負メニスカスレンズと両凸正レンズの接合レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００７０】
非球面は、第１レンズ群Ｇ１の両凸正レンズの像側の面と、最も物体側の第２レンズ群Ｇ２の両凹負レンズの両面と、最も像側の両凹負レンズの像側の面と、第３レンズ群Ｇ３の両凸正レンズの両面と、第４レンズ群Ｇ４の両凸正レンズの両面との８面に用いている。
【００７１】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００７２】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００７３】
物体側から順に、第１レンズ群Ｇ１は、物体側に凸面を向けた負メニスカスレンズと両凸正レンズの接合レンズからなる。第２レンズ群Ｇ２は、物体側に凸面を向けた負メニスカスレンズと、像側に凸面を向けた正メニスカスレンズと両凹負レンズの接合レンズとからなる。第３レンズ群Ｇ３は、両凸正レンズと、物体側に凸面を向けた負メニスカスレンズと物体側に凸面を向けた負メニスカスレンズの接合レンズからなる。第４レンズ群Ｇ４は、両凸正レンズからなる。
【００７４】
非球面は、第１レンズ群Ｇ１の両凸正レンズの像側の面と、第２レンズ群Ｇ２の凸面を向けた負メニスカスレンズの両面と、両凹負レンズの像側の面と、第３レンズ群Ｇ３の両凸正レンズの両面と、第４レンズ群Ｇ４の両凸正レンズの両面との８面に用いている。
【００７５】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００７６】
広角端から望遠端にかけての変倍時、第１レンズ群は物体側へのみ移動し、第２レンズ群は物体側に凸の軌跡で移動し、第３レンズ群は物体側へのみ移動し、第４レンズ群は像側へのみ移動する。
【００７７】
物体側から順に、第１レンズ群Ｇ１は、物体側に凸面を向けた負メニスカスレンズと両凸正レンズの接合レンズからなる。第２レンズ群Ｇ２は、両凹負レンズと、両凹負レンズと物体側に凸面を向けた正メニスカスレンズの接合レンズとからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００７８】
非球面は、第１レンズ群Ｇ１の両凸正レンズの像側の面と、第２レンズ群Ｇ２最も物体側の両凹負レンズの両面と、正メニスカスレンズの像側の面と、第３レンズ群Ｇ３の両凸正レンズの両面と、第４レンズ群Ｇ４の両凸正レンズの両面との８面に用いている。
【００７９】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００８０】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
【００８１】
物体側から順に、第１レンズ群Ｇ１は、物体側に凸面を向けた負メニスカスレンズと両凸正レンズの接合レンズからなる。第２レンズ群Ｇ２は、両凹負レンズと、両凹負レンズと物体側に凸面を向けた正メニスカスレンズの接合レンズとからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００８２】
非球面は、第１レンズ群Ｇ１の両凸正レンズの像側の面と、第２レンズ群Ｇ２の最も物体側の両凹負レンズの両面と、次の（隣の）両凹負レンズの物体側の面と、最も像側の物体側に凸面を向けた正メニスカスレンズの像側の面と、第３レンズ群Ｇ３の両凸正レンズの両面と、第４レンズ群Ｇ４の両凸正レンズの両面との９面に用いている。
【００８３】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００８４】
広角端から望遠端にかけての変倍時、第１レンズ群は物体側へのみ移動し、第２レンズ群は物体側に凸の軌跡で移動し、第３レンズ群は物体側へのみ移動し、第４レンズ群は広角端から任意の中間状態では像側に凸の軌跡で移動し、任意の中間状態から望遠端では物体側に凸の軌跡で移動する。
なお、上記ズームレンズ群の動きは上記例に開示されるものに限定されるものではない。
【００８５】
物体側から順に、第１レンズ群Ｇ１は、物体側に凸面を向けた負メニスカスレンズと両凸正レンズの接合レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、物体側に凸面を向けた正メニスカスレンズと物体側に凸面を向けた負メニスカスレンズの接合レンズからなる。第４レンズ群Ｇ４は、両凸正レンズからなる。
【００８６】
非球面は、第１レンズ群Ｇ１の両凸正レンズの像側の面と、第２レンズ群Ｇ２の最も物体側の両凹負レンズの両面と、最も像側の両凹負レンズの像側の面と、第３レンズ群Ｇ３の両凸正レンズの両面と、第４レンズ群Ｇ４の両凸正レンズの両面との８面に用いている。
【００８７】
以下、上記各実施例の数値データを示す。記号は、上記の他、ｆは全系焦点距離、ＢＦはバックフォーカス、ｆ１、ｆ２…は各レンズ群の焦点距離、ＩＨは像高、ＦNOはＦナンバー、ωは半画角、ＷＥは広角端、ＳＴ１、ＳＴ２，ＳＴ３は第１、第２、第３の中間焦点距離状態、ＴＥは望遠端、ｒ１、ｒ２…は各レンズ面の曲率半径、ｄ１、ｄ２…は各レンズ面間の間隔、ｎｄ１、ｎｄ２…は各レンズのｄ線の屈折率、νｄ１、νｄ２…は各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【００８８】
また、各非球面形状は、各実施例における各非球面係数を用いて、以下の式で表される。但し、光軸方向の座標をＺ、光軸と垂直な方向の座標をＹとする。
Ｚ＝（Ｙ2／ｒ）／[１＋｛１−（１＋Ｋ）・（Ｙ／ｒ）2｝1/2]＋A4×Ｙ4＋A6×Ｙ6＋A8×Ｙ8＋A10×Ｙ10
ただし、ｒは近軸曲率半径、Ｋは円錐係数、Ａ４ 、Ａ６ 、Ａ８、Ａ１０はそれぞれ４次、６次、８次、１０次の非球面係数である。また、非球面係数において、「ｅ−ｎ」（ｎは整数）は、「１０−ｎ」を示している。
【００８９】
最も像面側のレンズ群ＧＲはプラスチック材料で形成してもよい。レンズ群ＧＲの主な役割は、射出瞳位置を適切な位置に配置してＣＣＤやＣＭＯＳ等の電子撮像素子に効率よく光線を入射させることである。そのような役割のためには、上述した条件式（１０）のような範囲内にパワーが設定されていれば比較的大きなパワーは必要とせず、プラスチックレンズのような屈折率の低い硝材を用いて構成することも可能である。レンズ群ＧＲにプラスチックレンズを用いればコストを安く抑え、より安価なズームレンズを提供することが可能となる。
【００９０】
また、ゴースト、フレア等の不要光をカットするために、明るさ絞り以外にフレア絞りを配置してもかまわない。第１レンズ群の物体側、第１、２レンズ群間、第２、３レンズ群間、第３、４レンズ群間、第４、５レンズ群間、最も像面側の群から像面間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【００９１】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【００９２】
また、ピント調節を行うためのフォーカシングは最も像面側に位置するレンズ群が望ましい。最も像面側の群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。上述のように最も像面側の群によるフォーカシングが望ましいが、第１、２、３、４レンズ群でフォーカシングを行っても良い。また複数のレンズ群を移動してフォーカシングを行っても良い。またレンズ系全体を繰り出してフォーカスを行っても良いし、一部のレンズを繰り出し、もしくは繰り込みしてフォーカスしても良い。
【００９３】
また、画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。
【００９４】
実施例１０〜１８は、それぞれ実施例１〜９のズームレンズを用い、電気的に歪曲収差を補正する撮像装置に用いた例であり変倍時に有効撮像領域の形状が変化する。そのため、ズーム状態における像高や画角が対応する実施例と相違する。
広角端の半画角ωが３４°以上のズームレンズを備えた撮像装置となっている。
実施例１０〜１８では広角側で発生する樽型の歪曲収差を電気的に補正したうえで画像の記録や表示を行っている。本実施例のズームレンズは矩形の光電変換面上に広角端では樽型の歪曲収差が発生する。一方中間焦点距離状態付近や望遠端では歪曲収差の発生が抑えられる。歪曲収差を電気的に補正するために、有効撮像領域は、広角端では樽型形状とし、中間焦点距離状態や望遠端では矩形の形状となるようにしている。そして、あらかじめ設定した有効撮像領域を画像処理により画像変換し、歪みを低減させた矩形の画像情報に変換する。
広角端での像高Ｉmwは、中間焦点距離状態の像高Ｉmsや望遠端での像高Ｉmtよりも小さくなるようにしている。
【００９５】
本実施例１０〜１８では、広角端にて光電変換面の短辺方向の長さが有効撮像領域の短辺方向の長さと同じになるようにし、画像処理後の歪曲収差が−３％程残るように有効撮像領域を定めている。もちろん、それよりも小さい樽型の領域を有効撮像領域として矩形に変換した画像を記録・再生画像するようにしてもよい。
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。しかしながら、接合面にも積極的に反射防止コートを施せばさらにゴースト・フレアを軽減でき、なお良好な画像を得ることができるようになる。
【００９６】
特に最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【００９７】
接合面コートの効果的な使用法に関しては、特開平２‐２７３０１号公報、特開２００１‐３２４６７６号公報、特開２００５‐９２１１５号公報、ＵＳＰ７１１６４８２等に開示されている。これらの文献では特に正先行ズームレンズの第１群内の接合レンズ面コートについて述べられており、本発明の正パワーの第１レンズ群内の接合レンズ面についてもこれら文献に開示されているごとく実施すればよい。使用するコート材としては、基盤となるレンズの屈折率と接着材の屈折率に応じて、比較的高屈折率なTa2O5、TiO2、Nb2O5、ZrO2、HfO2、CeO2、SnO2、In2O3、ZnO、Y2O3などのコート材、比較的低屈折率なMgF2、SiO2、Al2O3などのコート材、などを適宜選択し、位相条件を満たすような膜厚に設定すれば良い。
当然のことながら、レンズの空気接触面へのコーティング同様、接合面コートをマルチコートとしても良い。
２層あるいはそれ以上の膜数のコート材や膜厚を適宜組み合わせることで、更なる反射率の低減や、反射率の分光特性・角度特性等のコントロールなどを行うことが可能となる。
また第１レンズ群以外のレンズ接合面についても、同様の思想に基づいて接合面コートを行うことが効果的なのは言うまでもない。
【００９８】
数値実施例１
単位    ｍｍ
面データ
面番号     r          d         ｎd       νd 
1      24.448      0.80     2.00170    20.64
2      17.142      3.62     1.77250    49.60
3*   -205.108      可変 
4*   -255.591      0.80     1.83481    42.71
5*      6.840      2.60
6    -173.737      1.63     2.10225    16.79
7     -18.519      0.80     1.83481    42.71
8*     49.763      可変  
9(絞り)    ∞      0.30
10*      5.805      2.49     1.69350    53.21
11*    -19.622      0.13
12       5.459      1.46     1.49700    81.54
13      37.187      0.78     2.00330    28.27
14       3.624      可変
15*     31.175      2.98     1.74330    49.33
16*    -14.538      可変
17          ∞      0.40     1.54771    62.84
18          ∞      0.50
19          ∞      0.50     1.51633    64.14
20          ∞      0.37
像面（受光面）
非球面データ
第３面
k=0.000,A4=6.81891e-06,A6=2.74618e-09,A8=-2.00369e-10,A10=1.08689e-12  
第４面
k=9.661,A4=-1.41838e-05,A6=-5.59393e-07,A8=1.82188e-08,A10=-1.50719e-10  
第５面
k=0.420,A4=3.41139e-05,A6=5.52480e-06,A8=-3.10379e-07,A10=2.53040e-09  
第８面
k=-1.493,A4=-3.62339e-04,A6=-2.34270e-06,A8=1.00616e-07,A10=-6.28966e-09  
第１０面
k=1.006,A4=-1.09878e-03,A6=-2.81148e-05,A8=-2.28722e-06,A10=5.34921e-10  
第１１面
k=-5.208,A4=3.43986e-04,A6=9.45047e-06,A8=-2.32836e-06,A10=2.56249e-07  
第１５面
k=0.000,A4=5.71049e-05,A6=-2.81592e-06  
第１６面
k=0.000,A4=1.31030e-04,A6=-5.22363e-06,A8=4.69431e-08  
群焦点距離
f1=31.94     f2=-7.24     f3=10.92     f4=13.72   
各種データ
ＷＥ     ＳＴ1     ＳＴ2     ＳＴ3      ＴＥ
焦点距離       5.09      8.84     15.85     28.34     49.20
ＦＮＯ．       3.22      4.16      4.92      5.67      6.00
画角２ω      81.22     47.23     26.86     15.39      8.96
ＢＦ           5.43      4.79      5.10      4.78      4.65
全長          42.84     46.75     52.04     56.78     57.56
d3           0.18      3.42      8.37     12.73     16.17  
d8          16.03     12.14      8.57      5.70      1.75  
d14          2.81      8.01     11.62     15.18     16.59  
d16          3.98      3.33      3.64      3.32      3.19  
【００９９】
数値実施例２
単位    ｍｍ
面データ
面番号     r          d         ｎd       νd 
1      24.750      0.80     2.10225    16.79
2      19.118      3.62     1.76802    49.24
3*   -178.118      可変  
4*   -285.349      0.80     1.83481    42.71
5*      6.941      2.47
6    -267.977      1.78     2.10225    16.79
7     -18.223      0.80     1.83481    42.71
8*     40.283      可変
9(絞り)    ∞      0.30
10*      5.411      2.57     1.69350    53.21
11*    -22.837      0.02
12       5.448      1.46     1.49700    81.54
13      34.274      0.62     2.00330    28.27
14       3.582      可変
15*     36.560      3.31     1.76802    49.24
16*    -14.197      可変
17          ∞      0.40     1.54771    62.84
18          ∞      0.50
19          ∞      0.50     1.51633    64.14
20          ∞      0.37
像面（受光面）
非球面データ
第３面
k=0.000,A4=7.60141e-06,A6=-6.14494e-10,A8=-1.66413e-10,A10=9.96800e-13  
第４面
k=9.661,A4=-6.41121e-05,A6=-3.75130e-07,A8=3.89598e-08,A10=-3.76958e-10  
第５面
k=0.420,A4=-2.06875e-05,A6=4.78893e-06,A8=-5.64122e-07,A10=1.10339e-08  
第８面
k=-1.493,A4=-3.76904e-04,A6=7.91618e-07,A8=1.71181e-08,A10=-5.12772e-09  
第１０面
k=0.971,A4=-1.16819e-03,A6=-2.45336e-05,A8=-3.08002e-06,A10=2.76241e-08  
第１１面
k=-4.177,A4=6.64728e-04,A6=3.58772e-05,A8=-4.27344e-06,A10=6.89037e-07  
第１５面
k=0.000,A4=4.94926e-05,A6=-3.22056e-06  
第１６面
k=0.000,A4=1.33322e-04,A6=-5.96091e-06,A8=5.14652e-08  
群焦点距離
f1=31.90     f2=-7.23     f3=10.90     f4=13.70   
各種データ
ＷＥ     ＳＴ1     ＳＴ2     ＳＴ3      ＴＥ
焦点距離       5.09      8.86     15.82     28.26     49.13
ＦＮＯ．       3.22      4.13      4.89      5.54      6.00
画角２ω      81.16     47.13     26.91     15.41      8.99
ＢＦ           5.48      4.97      5.21      4.97      4.65
全長          42.76     46.51     51.93     56.47     57.47
d3           0.18      3.38      8.35     12.85     16.11  
d8          15.93     11.89      8.46      5.56      1.74  
d14          2.63      7.72     11.35     14.54     16.42  
d16          4.02      3.52      3.76      3.52      3.19  
【０１００】
数値実施例３
単位    ｍｍ
面データ
面番号     r          d         ｎd       νd 
1      24.863      0.80     2.00170    20.64
2      17.312      0.10
3      17.210      3.62     1.77250    49.60
4*   -191.434      可変  
5*   -246.633      0.80     1.83481    42.71
6*      6.889      2.58
7    -335.277      1.62     2.10225    16.79
8     -19.220      0.10
9     -17.266      0.80     1.83481    42.71
10*     57.203      可変  
11(絞り)    ∞      0.30
12*      5.805      2.49     1.69350    53.21
13*    -19.580      0.12
14       5.460      1.46     1.49700    81.54
15      36.680      0.78     2.00330    28.27
16       3.621      可変  
17*     30.856      2.96     1.74330    49.33
18*    -14.638      可変  
19        ∞        0.40     1.54771    62.84
20        ∞        0.50
21        ∞        0.50     1.51633    64.14
22        ∞        0.37
像面（受光面）
非球面データ
第４面
k=0.000,A4=7.34610e-06,A6=3.10401e-09,A8=-2.13114e-10,A10=1.21240e-12  
第５面
k=9.661,A4=1.06284e-05,A6=-1.57115e-06,A8=3.70202e-08,A10=-2.77466e-10  
第６面
k=0.420,A4=2.60126e-05,A6=4.72986e-06,A8=-4.04118e-07,A10=3.41610e-09  
第１０面
k=-1.493,A4=-3.50300e-04,A6=-1.64241e-06,A8=1.22037e-07,A10=-6.35735e-09  
第１２面
k=1.007,A4=-1.10618e-03,A6=-2.77540e-05,A8=-2.42568e-06,A10=9.10635e-09  
第１３面
k=-5.208,A4=3.37105e-04,A6=9.77823e-06,A8=-2.56919e-06,A10=2.74290e-07  
第１７面
k=0.000,A4=6.21981e-05,A6=-2.54082e-06  
第１８面
k=0.000,A4=1.38383e-04,A6=-5.28746e-06,A8=5.23493e-08  
群焦点距離
f1=31.90     f2=-7.24     f3=10.92     f4=13.74   
各種データ
ＷＥ     ＳＴ1     ＳＴ2     ＳＴ3      ＴＥ
焦点距離       5.09      8.83     15.82     28.27     49.16
ＦＮＯ．       3.23      4.16      4.93      5.67      6.00
画角２ω      80.92     47.17     26.89     15.43      8.98
ＢＦ           5.45      4.81      5.13      4.82      4.68
全長          42.97     46.89     52.18     56.91     57.69
d4           0.18      3.42      8.36     12.73     16.17  
d10         16.03     12.14      8.57      5.70      1.75  
d16          2.80      7.98     11.59     15.14     16.56  
d18          3.99      3.36      3.67      3.36      3.22  
【０１０１】
数値実施例４
単位    ｍｍ
面データ
面番号     r          d         ｎd       νd 
1      24.339      0.80     2.00170    20.64
2      17.110      3.62     1.77250    49.60
3*   -202.575      可変  
4*   -177.740      0.80     1.83481    42.71
5*      6.950      2.59
6    -163.766      1.61     2.10225    16.79
7     -18.781      0.80     1.83481    42.71
8*     50.365      可変
9(絞り)    ∞      0.30
10*      5.888      2.49     1.69350    53.21
11*    -20.595      0.13
12       5.424      1.46     1.49700    81.54
13      32.252      0.78     2.00330    28.27
14       3.641      可変
15*     27.021      2.98     1.74330    49.33
16*    -14.981      0.00
17          ∞      可変
18          ∞      0.40     1.54771    62.84
19          ∞      0.50
20          ∞      0.50     1.51633    64.14
21          ∞      0.37
像面（受光面）
非球面データ
第3面
k= 0.000,A4=6.92624e-06,A6=-4.15511e-09,A8=-1.07707e-10,A10=6.92597e-13  
第4面
k=9.661,A4=-5.69038e-06,A6=-7.03182e-07,A8=2.57624e-08,A10=-2.53661e-10  
第5面
k=0.420,A4=7.71420e-05,A6=6.38529e-06,A8=-3.31172e-07,A10=4.46651e-09  
第8面
k=-1.493,A4=-3.79273e-04,A6=-4.05713e-06,A8=2.48706e-07,A10=-9.23062e-09  
第10面
k=1.109,A4=-1.12706e-03,A6=-3.54246e-05,A8=-1.41383e-06,A10=-7.53254e-08  
第11面
k=-6.647,A4=3.14775e-04,A6=-7.34049e-06,A8=8.54655e-07,A10=3.16244e-08  
第15面
k=0.000,A4=7.18255e-05,A6=-2.29705e-06  
第16面
k=0.000,A4=1.37632e-04,A6=-3.98775e-06,A8=3.38066e-08  
群焦点距離
f1=31.73    f2=-7.24     f3=11.12     f4=13.37   
各種データ
ＷＥ     ＳＴ1     ＳＴ2     ＳＴ3      ＴＥ
焦点距離       5.08      8.75     16.50     28.17     49.11
ＦＮＯ．       3.26      4.19      5.21      5.68      6.00
画角２ω      81.52     47.76     25.91     15.46      8.96
ＢＦ           5.52      4.92      4.27      4.86      4.65
全長          42.88     46.89     51.74     56.92     57.54
d3           0.18      3.43      8.19     12.76     16.17  
d8          16.03     12.20      8.42      5.75      1.75  
d14          2.80      7.97     12.29     15.17     16.59  
d17          4.06      3.46      2.81      3.40      3.19  
【０１０２】
数値実施例５
単位    ｍｍ
面データ
面番号     r          d         ｎd       νd 
1      24.090      0.80     2.00170    20.64
2      16.881      3.62     1.77250    49.60
3*   -237.720      可変  
4*  19139.546      0.80     1.83481    42.71
5*      7.022      2.48
6    -246.009      1.43     2.10225    16.79
7     -18.939      0.80     1.83481    42.71
8*     36.202      可変  
9(絞り)            0.30
10*      5.737      2.49     1.69350    53.21
11*    -75.021      0.37
12       7.276      1.46     1.65160    58.55
13       6.906      0.79     2.10225    16.79
14       3.848      可変
15*     33.027      2.99     1.74330    49.33
16*    -13.749      可変
17          ∞      0.40     1.54771    62.84
18          ∞      0.50
19          ∞      0.50     1.51633    64.14
20          ∞      0.37
像面（受光面）
非球面データ
第３面
k=0.000,A4=6.30333e-06,A6=2.48277e-09,A8=-1.15085e-10,A10=5.00853e-13  
第４面
k=9.661,A4=-6.45703e-05,A6=-3.41266e-07,A8=2.96809e-08,A10=-2.94996e-10  
第５面
k=0.420,A4=2.39561e-05,A6=4.75914e-06,A8=-4.61329e-07,A10=1.26489e-08  
第８面
k=-1.493,A4=-3.85138e-04,A6=-1.26117e-06,A8=6.50838e-09,A10=-5.27597e-09  
第１０面
k=1.007,A4=-7.28139e-04,A6=-8.13409e-06,A8=-1.80592e-06,A10=1.36333e-07  
第１１面
k=-10.317,A4=9.53729e-04,A6=4.31457e-05,A8=-1.37217e-06,A10=6.57763e-07  
第１５面
k=0.000,A4=4.17738e-05,A6=-1.04874e-06  
第１６面
k=0.000,A4=1.13058e-04,A6=-2.39178e-06,A8=2.38835e-08  
群焦点距離
f1=32.01     f2=-7.24     f3=11.03     f4=13.43   
各種データ
ＷＥ     ＳＴ1     ＳＴ2     ＳＴ3      ＴＥ
焦点距離       5.10      8.78     15.75     28.21     49.21
ＦＮＯ．       3.27      4.19      4.94      5.67      6.00
画角２ω      81.26     47.58     27.12     15.52      8.99
ＢＦ           5.44      4.88      5.26      4.84      4.54
全長          43.00     46.88     52.10     56.83     57.45
d3           0.18      3.45      8.37     12.76     16.18  
d8          16.03     12.17      8.49      5.69      1.76  
d14          3.02      8.04     11.65     15.20     16.64  
d16          3.98      3.42      3.80      3.38      3.09  
【０１０３】
数値実施例６
単位    ｍｍ
面データ
面番号     r          d         ｎd       νd 
1      24.090      0.80     2.00170    20.64
2      16.881      3.62     1.77250    49.60
3*   -237.720      可変  
4*  19139.546      0.80     1.83481    42.71
5*      7.022      2.48
6    -246.009      1.43     2.10225    16.79
7     -18.939      0.80     1.83481    42.71
8*     36.202      可変  
9(絞り)            0.30
10*      5.737      2.49     1.69350    53.21
11*    -75.021      0.37
12       7.276      1.46     1.65160    58.55
13       6.906      0.79     2.10225    16.79
14       3.848      可変
15*     33.027      2.99     1.74330    49.33
16*    -13.749      可変
17          ∞      0.40     1.54771    62.84
18          ∞      0.50
19          ∞      0.50     1.51633    64.14
20          ∞      0.37
像面（受光面）
非球面データ
第３面
k=0.000,A4=6.30333e-06,A6=2.48277e-09,A8=-1.15085e-10,A10=5.00853e-13
第４面
k=9.661,A4=-6.45703e-05,A6=-3.41266e-07,A8=2.96809e-08,A10=-2.94996e-10  
第５面
k=0.420,A4=2.39561e-05,A6=4.75914e-06,A8=-4.61329e-07,A10=1.26489e-08  
第８面
k=-1.493,A4=-3.85138e-04,A6=-1.26117e-06,A8=6.50838e-09,A10=-5.27597e-09  
第１０面
k=1.007,A4=-7.28139e-04,A6=-8.13409e-06,A8=-1.80592e-06,A10=1.36333e-07  
第１１面
k=-10.317,A4=9.53729e-04,A6=4.31457e-05,A8=-1.37217e-06,A10=6.57763e-07  
第１５面
k=0.000,A4=4.17738e-05,A6=-1.04874e-06  
第１６面
k=0.000,A4=1.13058e-04,A6=-2.39178e-06,A8=2.38835e-08  
各群焦点距離
f1=32.01     f2=-7.24     f3=11.03     f4=13.43   
各種データ
ＷＥ     ＳＴ1     ＳＴ2     ＳＴ3      ＴＥ
焦点距離       5.10      8.78     15.75     28.21     49.21
ＦＮＯ．       3.27      4.19      4.94      5.67      6.00
画角２ω      81.26     47.58     27.12     15.52      8.99
ＢＦ           5.44      4.88      5.26      4.84      4.54
全長          43.00     46.88     52.10     56.83     57.45
d3           0.18      3.45      8.37     12.76     16.18  
d8          16.03     12.17      8.49      5.69      1.76  
d14          3.02      8.04     11.65     15.20     16.64  
d16          3.98      3.42      3.80      3.38      3.09  
【０１０４】
数値実施例７
単位    ｍｍ
面データ
面番号     r          d         ｎd       νd 
1      26.824      0.80     1.94595    17.98
2      19.346      3.57     1.76802    49.24
3*   -154.401      可変  
4*   -128.260      0.80     1.85135    40.10
5*      6.303      2.50
6    -279.380      0.70     1.72916    54.68
7      18.472      1.06     2.10225    16.79
8*     76.616      可変  
9(絞り)            0.30
10*      5.755      2.38     1.69350    53.21
11*    -18.998      0.10
12       5.340      1.46     1.49700    81.54
13      22.667      0.51     2.00330    28.27
14       3.587      可変
15*     22.674      2.63     1.76802    49.24
16*    -20.422      可変
17          ∞      0.40     1.54771    62.84
18          ∞      0.50
19          ∞      0.50     1.51633    64.14
20          ∞      0.37
像面（受光面）
非球面データ
第３面
k=0.000,A4=7.12229e-06,A6=9.11239e-09,A8=-2.77095e-10,A10=1.37494e-12  
第４面
k=0.000,A4=-1.91222e-05,A6=-8.95933e-07,A8=3.48869e-08,A10=-3.07714e-10  
第５面
k=0.000,A4=1.45289e-04,A6=1.20898e-05,A8=-5.45063e-07,A10=5.13417e-09  
第８面
k=0.000,A4=-2.92513e-04,A6=-2.92168e-06,A8=1.95347e-07,A10=-4.02860e-09  
第１０面
k=0.000,A4=-5.66147e-04,A6=-5.92936e-06,A8=-1.97982e-06,A10=1.47438e-07  
第１１面
k=0.000,A4=3.01744e-04,A6=4.10563e-06,A8=-3.64960e-06,A10=3.09816e-07  
第１５面
k=0.000,A4=4.35091e-05,A6=-2.12004e-06  
第１６面
k=0.000,A4=5.32277e-05,A6=-4.48825e-06,A8=4.83770e-08  
群焦点距離
f1=32.43     f2=-7.23     f3=11.02     f4=14.37   
各種データ
ＷＥ     ＳＴ1     ＳＴ2     ＳＴ3      ＴＥ
焦点距離       5.11      8.76     15.96     28.39     49.04
ＦＮＯ．       3.35      4.30      5.16      5.72      6.00
画角２ω      81.05     47.66     26.67     15.26      8.96
ＢＦ           5.49      4.89      4.57      4.61      4.67
全長          41.64     45.80     51.92     56.19     56.76
d3           0.24      3.70      8.89     13.71     17.14  
d8          15.50     11.75      8.65      5.56      1.48  
d14          3.60      8.64     12.99     15.50     16.66  
d16          4.03      3.43      3.11      3.16      3.21  
【０１０５】
数値実施例８
単位    ｍｍ
面データ
面番号     r          d         ｎd       νd 
1      26.649      0.80     1.94595    17.98
2      19.024      3.57     1.76802    49.24
3*   -131.627      可変 
4*    -76.902      0.80     1.85135    40.10
5*      6.873      2.45
6*    -49.076      0.70     1.76802    49.24
7      18.933      1.76     2.10225    16.79
8*    226.488      可変  
9(絞り)            0.30
10*      5.456      2.38     1.69350    53.21
11*    -19.210      0.10
12       5.302      1.46     1.49700    81.54
13      27.733      0.51     2.00330    28.27
14       3.419      可変
15*     25.975      2.63     1.76802    49.24
16*    -16.829      可変
17          ∞      0.40     1.54771    62.84
18          ∞      0.50
19          ∞      0.50     1.51633    64.14
20          ∞      0.37
像面（受光面）
非球面データ
第３面
k=0.000,A4=7.94392e-06,A6=5.89517e-09,A8=-2.47525e-10,A10=1.30153e-12  
第４面
k=0.000,A4=9.88808e-06,A6=-2.28574e-06,A8=7.63451e-08,A10=-6.47994e-10  
第５面
k=0.000,A4=2.28618e-04,A6=1.24535e-05,A8=-5.66191e-07,A10=4.27110e-08  
第６面
k=0.000,A4=3.04014e-04,A6=-7.11000e-07,A8=8.93657e-07,A10=-1.62614e-08  
第８面
k=0.000,A4=-9.92982e-05,A6=-2.54438e-06,A8=4.71636e-07,A10=-1.99720e-08  
第１０面
k=0.000,A4=-6.50584e-04,A6=-1.72392e-05,A8=-1.40723e-06,A10=4.91904e-08  
第１１面
k=0.000,A4=3.18580e-04,A6=-1.69612e-05,A8=-1.30044e-06,A10=1.11576e-07  
第１５面
k=0.000,A4=6.38253e-05,A6=-1.25797e-06  
第１６面
k=0.000,A4=8.12873e-05,A6=-2.41254e-06,A8=2.35806e-08  
各群焦点距離
f1=31.53     f2=-7.19     f3=10.99     f4=13.66   
各種データ
ＷＥ     ＳＴ1     ＳＴ2     ＳＴ3      ＴＥ
焦点距離       5.11      8.70     15.87     28.19     49.05
ＦＮＯ．       3.29      4.22      4.99      5.61      6.00
画角２ω      81.29     47.79     26.84     15.41      9.00
ＢＦ           5.46      4.92      5.21      4.89      4.74
全長          42.11     46.17     51.75     56.11     56.88
d3           0.25      3.62      8.56     13.20     16.42  
d8          15.50     11.83      8.20      5.41      1.40  
d14          3.44      8.35     12.33     15.15     16.86  
d16          4.00      3.46      3.75      3.43      3.29  
【０１０６】
数値実施例９
単位    ｍｍ
面データ
面番号     r          d         ｎd       νd 
1      25.246      0.80     2.00170    20.64
2      17.504      3.62     1.77250    49.60
3*   -153.282      可変
4*   -305.214      0.80     1.83481    42.71
5*      6.969      2.49
6    -113.524      1.41     2.10225    16.79
7     -17.342      0.80     1.83481    42.71
8*     47.705      可変  
9(絞り)            0.30
10*      5.785      2.49     1.69350    53.21
11*    -18.928      D11 
12       5.454      1.46     1.49700    81.54
13      39.519      0.75     2.00330    28.27
14       3.569      可変
15*     23.547      2.89     1.74330    49.33
16*    -15.630      可変
17          ∞      0.40     1.54771    62.84
18          ∞      0.50
19          ∞      0.50     1.51633    64.14
20          ∞      0.37
像面（受光面）
非球面データ
第３面
k=0.000,A4=7.44440e-06,A6=-8.33092e-09,A8=-3.71821e-11,A10=2.91551e-13  
第４面
k=9.661,A4=-4.32718e-05,A6=-6.38714e-07,A8=1.71954e-08,A10=-9.58527e-11  
第５面
k=0.420,A4=4.73224e-05,A6=4.90359e-06,A8=-3.23846e-07,A10=-8.16179e-09  
第８面
k=-1.493,A4=-3.78547e-04,A6=-4.88735e-06,A8=4.57516e-07,A10=-1.06817e-08  
第１０面
k=1.107,A4=-1.22603e-03,A6=-4.54873e-05,A8=-1.89979e-06,A10=-8.94718e-08  
第１１面
k=-5.742,A4=2.69445e-04,A6=-1.08481e-05,A8=-9.14413e-07,A10=1.47216e-07  
第１５面
k=0.000,A4=7.97694e-05,A6=-1.04934e-06  
第１６面
k=0.000,A4=1.25993e-04,A6=-1.93046e-06,A8=1.76452e-08  
群焦点距離
f1=31.77     f2=-7.19     f3=6.66     f4=-7.01     f5=13.05   
各種データ
ＷＥ     ＳＴ1     ＳＴ2     ＳＴ3      ＴＥ
焦点距離       5.11      8.74     15.91     28.38     49.06
ＦＮＯ．       3.27      4.16      5.05      5.70      6.00
画角２ω      80.17     47.41     26.71     15.33      8.98
ＢＦ           5.47      4.86      4.80      4.62      4.72
全長          42.62     46.19     51.27     56.36     57.18
d3           0.18      3.42      8.11     12.68     16.18  
d8          16.03     12.06      8.40      5.72      1.74  
d11          0.11      0.21      0.32      0.28      0.26  
d14          3.03      7.84     11.83     15.27     16.48  
d16          4.01      3.40      3.34      3.16      3.26  
【０１０７】
実施例１０のズームレンズは実施例１のズームレンズと同じ構成である。
実施例１１のズームレンズは実施例２のズームレンズと同じ構成である。
実施例１２のズームレンズは実施例３のズームレンズと同じ構成である。
実施例１３のズームレンズは実施例４のズームレンズと同じ構成である。
実施例１４のズームレンズは実施例５のズームレンズと同じ構成である。
実施例１５のズームレンズは実施例６のズームレンズと同じ構成である。
実施例１６のズームレンズは実施例７のズームレンズと同じ構成である。
実施例１７のズームレンズは実施例８のズームレンズと同じ構成である。
実施例１８のズームレンズは実施例９のズームレンズと同じ構成である。
【０１０８】
実施例１０における像高、全画角のデータを以下に示す。
各種データ
ＷＥ     ＳＴ1     ＳＴ2     ＳＴ3      ＴＥ
焦点距離       5.09      8.84     15.85     28.34     49.20
ＦＮＯ．       3.22      4.16      4.92      5.67      6.00
画角２ω      78.29     47.23     26.86     15.39      8.96
像高           3.70      3.88      3.88      3.88      3.88
【０１０９】
実施例１１における像高、全画角のデータを以下に示す。
各種データ
ＷＥ     ＳＴ1     ＳＴ2     ＳＴ3      ＴＥ
焦点距離       5.09      8.86     15.82     28.26     49.13
ＦＮＯ．       3.22      4.13      4.89      5.54      6.00
画角２ω      78.23     47.13     26.91     15.41      8.99
像高           3.70      3.88      3.88      3.88      3.88
【０１１０】
実施例１２における像高、全画角のデータを以下に示す。
各種データ
ＷＥ     ＳＴ1     ＳＴ2     ＳＴ3      ＴＥ
焦点距離       5.09      8.83     15.82     28.27     49.16
ＦＮＯ．       3.23      4.16      4.93      5.67      6.00
画角２ω      78.19     47.17     26.89     15.43      8.98
像高           3.71      3.88      3.88      3.88      3.88
【０１１１】
実施例１３における像高、全画角のデータを以下に示す。
各種データ
ＷＥ     ＳＴ1     ＳＴ2     ＳＴ3      ＴＥ
焦点距離       5.08      8.75     16.50     28.17     49.11
ＦＮＯ．       3.26      4.19      5.21      5.68      6.00
画角２ω      78.59     47.76     25.91     15.46      8.96
像高           3.70      3.88      3.88      3.88      3.88
【０１１２】
実施例１４における像高、全画角のデータを以下に示す。
各種データ
ＷＥ     ＳＴ1     ＳＴ2     ＳＴ3      ＴＥ
焦点距離       5.10      8.78     15.75     28.21     49.21
ＦＮＯ．       3.27      4.19      4.94      5.67      6.00
画角２ω      78.14     47.58     27.12     15.52      8.99
像高           3.69      3.88      3.88      3.88      3.88
【０１１３】
実施例１５における像高、全画角のデータを以下に示す。
各種データ
ＷＥ     ＳＴ1     ＳＴ2     ＳＴ3      ＴＥ
焦点距離       5.10      8.78     15.75     28.21     49.21
ＦＮＯ．       3.27      4.19      4.94      5.67      6.00
画角２ω      78.14     47.58     27.12     15.52      8.99
像高           3.69      3.88      3.88      3.88      3.88
【０１１４】
実施例１６における像高、全画角のデータを以下に示す。
各種データ
ＷＥ     ＳＴ1     ＳＴ2     ＳＴ3      ＴＥ
焦点距離       5.11      8.76     15.96     28.39     49.04
ＦＮＯ．       3.35      4.30      5.16      5.72      6.00
画角２ω      78.14     47.66     26.67     15.26      8.96
像高           3.70      3.88      3.88      3.88      3.88
【０１１５】
実施例１７における像高、全画角のデータを以下に示す。
各種データ
ＷＥ     ＳＴ1     ＳＴ2     ＳＴ3      ＴＥ
焦点距離       5.11      8.70     15.87     28.19     49.05
ＦＮＯ．       3.29      4.22      4.99      5.61      6.00
画角２ω      78.19     47.79     26.84     15.41      9.00
像高           3.68      3.88      3.88      3.88      3.88
【０１１６】
実施例１８における像高、全画角のデータを以下に示す。
各種データ
ＷＥ     ＳＴ1     ＳＴ2     ＳＴ3      ＴＥ
焦点距離       5.11      8.74     15.91     28.38     49.06
ＦＮＯ．       3.27      4.16      5.05      5.70      6.00
画角２ω      77.93     47.41     26.71     15.33      8.98
像高           3.74      3.88      3.88      3.88      3.88
【０１１７】
以上の実施例１〜９の無限遠物点合焦時の収差図をそれぞれ図１０〜図２７に示す。これらの収差図において、（ａ）は広角端、（ｂ）は第１の中間焦点距離状態、（ｃ）は第２の中間焦点距離状態、（ｄ）は第３の中間焦点距離状態、（ｅ）は望遠端における球面収差（ＳＡ）、非点収差（ＡＳ）、歪曲収差（ＤＴ）、倍率色収差（ＣＣ）を示す。各図中、“ω”は半画角を示す。
【０１１８】
次に、各実施例における条件式（１）〜（１０）の値を掲げる。
条件式        実施例1     実施例2     実施例3     実施例4     実施例5
(1) ｆ2／ｆt      -0.147      -0.147      -0.147      -0.147      -0.147 
(2) ｎｄ2p         2.10225     2.10225     2.10225     2.10225     2.10225
(3) νｄ2p        16.79       16.79       16.79       16.79       16.79 
(4) ＳＦ2p1        1.239       1.146       1.122       1.259       1.167 
(5) ＳＦ2p2          -           -           -           -           -
(6) ｆt／ｆw       9.664       9.648       9.661       9.646       9.650 
(7) Ｉmw／ｆw      0.762       0.762       0.763       0.764      0.760 
(8) ｆ1／ｆt       0.649       0.649       0.649       0.646       0.650 
(9) ｆ3／ｆt       0.222       0.222       0.222       0.226       0.224 
(10)ｆR／ｆt       0.279       0.279       0.279       0.272       0.273 
条件式        実施例6     実施例7     実施例8     実施例9    
(1) ｆ2／ｆt      -0.147      -0.147      -0.147      -0.147 
(2) ｎｄ2p         2.10225     2.10225     2.10225     2.10225
(3) νｄ2p        16.79       16.79       16.79       16.79 
(4) ＳＦ2p1        1.167        -          -           1.361 
(5) ＳＦ2p2          -        -1.635      -1.182       -
(6) ｆt／ｆw       9.642       9.596       9.607       9.606 
(7) Ｉmw／ｆw      0.760       0.759       0.760       0.760 
(8) ｆ1／ｆt       0.650       0.661       0.643       0.648 
(9) ｆ3／ｆt       0.224       0.225       0.224       0.136 
(10)ｆR／ｆt       0.273       0.293       0.279       0.266 
条件式        実施例10    実施例11    実施例12    実施例13    実施例14
(1) ｆ2／ｆt      -0.147      -0.147      -0.147      -0.147      -0.147 
(2) ｎｄ2p         2.10225     2.10225     2.10225     2.10225     2.10225
(3) νｄ2p        16.79       16.79       16.79       16.79       16.79 
(4) ＳＦ2p1        1.239       1.146       1.122       1.259       1.167 
(5) ＳＦ2p2          -          -          -          -          -
(6) ｆt／ｆw       9.664       9.648       9.661       9.675       9.642 
(7) Ｉmw／ｆw      0.727       0.726       0.729      0.729       0.723 
(8) ｆ1／ｆt       0.649       0.649       0.649       0.646       0.650 
(9) ｆ3／ｆt       0.222       0.222       0.222       0.226       0.224 
(10)ｆR／ｆt       0.279       0.279       0.279       0.272       0.273 
条件式        実施例15    実施例16    実施例17    実施例18 
(1) ｆ2／ｆt      -0.147      -0.147      -0.147      -0.147 
(2) ｎｄ2p         2.10225     2.10225     2.10225     2.10225
(3) νｄ2p        16.79       16.79       16.79       16.79 
(4) ＳＦ2p1        1.167        -          -           1.361 
(5) ＳＦ2p2          -        -1.635      -1.182        -
(6) ｆt／ｆw       9.642       9.596       9.607       9.606 
(7) Ｉmw／ｆw      0.723       0.724       0.722       0.732 
(8) ｆ1／ｆt       0.650       0.661       0.643       0.648 
(9) ｆ3／ｆt       0.224       0.225       0.224       0.136 
(10)ｆR／ｆt       0.273       0.293       0.279       0.266
【０１１９】
（歪曲収差の補正）
ところで、本発明のズームレンズを用いたときに、像の歪曲は電気的にデジタル補正する。以下に、像の歪曲をデジタル補正するための基本的概念について説明する。
【０１２０】
例えば、図２８に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１２１】
例えば、図２８において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１２２】
ここで、ｒ'（ω）は次のように表わすことができる。
ｒ'（ω）＝α・ｆ・ｔａｎω    （０≦α≦１）
ただし、
ωは被写体半画角、ｆは結像光学系（本発明では、ズームレンズ）の焦点距離である。
【０１２３】
ここで、前記半径Ｒの円上（像高）に対応する理想像高をＹとすると、
α＝Ｒ／Ｙ＝Ｒ／（ｆ・ｔａｎω）
となる。
【０１２４】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１２５】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１２６】
つまり、離散的座標点毎に表わされる画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１２７】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１２８】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１２９】
なお、歪曲補正後の画像が短辺方向の両端において光量が極端に不足することのないようにするには、前記半径Ｒが、次の条件式を満足するのがよい。
【０１３０】
０≦Ｒ≦０．６Ｌs 
ただし、Ｌsは有効撮像面の短辺の長さである。
【０１３１】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、実質画像数の面で若干の不利があるが、広角化しても小型化にするための効果は確保できる。
【０１３２】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１３３】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１３４】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１３５】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１３６】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１３７】
（デジタルカメラ）
図２９〜図３１は、以上のようなズームレンズを撮影光学系１４１に組み込んだ本発明によるデジタルカメラの構成の概念図を示す。図２９はデジタルカメラ１４０の外観を示す前方斜視図、図３０は同後方正面図、図３１はデジタルカメラ１４０の構成を示す模式的な断面図である。ただし、図２９と図３１においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図３１の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１３８】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１３９】
このように構成されたデジタルカメラ１４０は、撮影光学系１４１が本発明により、沈胴時に厚みを極めて薄く、高変倍で全変倍域で結像性能を極めて安定的であるので、高性能・小型化・広角化が実現できる。
【０１４０】
（内部回路構成）
図３２は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１４１】
図３２に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１４２】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１４３】
操作部１１２は各種の入力ボタンやスイッチを備え、これらの入力ボタンやスイッチを介して外部（カメラ使用者）から入力されるイベント情報を制御部に通知する回路である。
【０１４４】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１４５】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１４６】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１４７】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１４８】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１４９】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１５０】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【産業上の利用可能性】
【０１５１】
以上のように、本発明に係るズームレンズは、カメラの携帯性を損なうことなく従来よりも撮影領域を広げたいというユーザーの要望を満たすべく、カメラの小型化と高変倍比化・広角化に有利である。また、撮影画像の画質も良好に維持し易いため、ＣＣＤやＣＭＯＳ等の電子撮像素子に適している。
【図面の簡単な説明】
【０１５２】
【図１】本発明のズームレンズの実施例１の無限遠物点合焦時の広角端（ａ）、第１の中間焦点距離状態（ｂ）、第２の中間焦点距離状態（ｃ）、第３の中間焦点距離状態（ｄ）、望遠端（ｅ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】実施例１の無限遠物点合焦時の収差図である。
【図１１】実施例１の無限遠物点合焦時の他の収差図である。
【図１２】実施例２の無限遠物点合焦時の収差図である。
【図１３】実施例２の無限遠物点合焦時の他の収差図である。
【図１４】実施例３の無限遠物点合焦時の収差図である。
【図１５】実施例３の無限遠物点合焦時の他の収差図である。
【図１６】実施例４の無限遠物点合焦時の収差図である。
【図１７】実施例４の無限遠物点合焦時の他の収差図である。
【図１８】実施例５の無限遠物点合焦時の収差図である。
【図１９】実施例５の無限遠物点合焦時の他の収差図である。
【図２０】実施例６の無限遠物点合焦時の収差図である。
【図２１】実施例６の無限遠物点合焦時の他の収差図である。
【図２２】実施例７の無限遠物点合焦時の収差図である。
【図２３】実施例７の無限遠物点合焦時の他の収差図である。
【図２４】実施例８の無限遠物点合焦時の収差図である。
【図２５】実施例８の無限遠物点合焦時の他の収差図である。
【図２６】実施例９の無限遠物点合焦時の収差図である。
【図２７】実施例９の無限遠物点合焦時の他の収差図である。
【図２８】歪曲収差の補正を説明する図である。
【図２９】本発明によるズームレンズを組み込んだデジタルカメラの外観を示す前方斜視図である。
【図３０】上記デジタルカメラの後方斜視図である。
【図３１】上記デジタルカメラの断面図である。
【図３２】デジタルカメラの主要部の内部回路の構成ブロック図である。
【符号の説明】
【０１５３】
Ｇ１…第１レンズ群
Ｇ２…第２レンズ群
Ｇ３…第３レンズ群
Ｇ４…第４レンズ群
Ｓ…明るさ絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
0005075645.tif 000002
【図２】
0005075645.tif 000003
【図３】
0005075645.tif 000004
【図４】
0005075645.tif 000005
【図５】
0005075645.tif 000006
【図６】
0005075645.tif 000007
【図７】
0005075645.tif 000008
【図８】
0005075645.tif 000009
【図９】
0005075645.tif 000010
【図１０】
0005075645.tif 000011
【図１１】
0005075645.tif 000012
【図１２】
0005075645.tif 000013
【図１３】
0005075645.tif 000014
【図１４】
0005075645.tif 000015
【図１５】
0005075645.tif 000016
【図１６】
0005075645.tif 000017
【図１７】
0005075645.tif 000018
【図１８】
0005075645.tif 000019
【図１９】
0005075645.tif 000020
【図２０】
0005075645.tif 000021
【図２１】
0005075645.tif 000022
【図２２】
0005075645.tif 000023
【図２３】
0005075645.tif 000024
【図２４】
0005075645.tif 000025
【図２５】
0005075645.tif 000026
【図２６】
0005075645.tif 000027
【図２７】
0005075645.tif 000028
【図２８】
0005075645.tif 000029
【図２９】
0005075645.tif 000030
【図３０】
0005075645.tif 000031
【図３１】
0005075645.tif 000032
【図３２】
0005075645.tif 000033